(57)【要約】【課題】動画表示における応答時間を短縮する。【解決手段】液晶装置は、第１〜第３期間Ｔ１〜Ｔ３を繰り返して駆動される。第１期間Ｔ１では階調電圧Ｖｂが液晶素子に印加される。第２期間Ｔ２ではベンド状態を維持するのに必要な第１基準電圧Ｖｂが液晶素子に印加される。第３期間Ｔ３では第１基準電圧Ｖｂより低い第２基準電圧Ｖｗが液晶素子に印加される。そして、バックライトは第１期間Ｔ１で点灯し、第２期間Ｔ２および第３期間Ｔ３で消灯する。【選択図】図４
2008185758.tif 000002
【特許請求の範囲】
【請求項１】
画素電極と、対向電極と、前記画素電極と前記対向電極との間に挟持され配向状態としてベンド状態およびスプレイ状態を有する液晶とを備えた液晶素子が形成された液晶パネルを具備する液晶装置に対して第１期間、第２期間および第３期間を繰り返して駆動する液晶装置の駆動方法であって、
前記第１期間において、表示すべき階調に応じた階調電圧を前記液晶素子に印加し、
前記第２期間において、ベンド状態を維持するために必要な第１基準電圧を前記液晶素子に印加し、
前記第３期間において、前記第１基準電圧より低い第２基準電圧を前記液晶素子に印加する、
液晶装置の駆動方法。
【請求項２】
前記液晶装置は前記液晶パネルの一方の面に向けて光を射出する光源を備え、
前記第１期間の全部において、前記光源を点灯させ、
前記第３期間の一部または全部において、前記光源を消灯させる、
請求項１に記載の液晶装置の駆動方法。
【請求項３】
複数の走査線と、複数のデータ線と、前記走査線と前記データ線との交差に対応して設けられた複数の画素回路とを有する液晶パネルと、
１水平走査期間において、表示すべき階調に応じた階調電圧、ベンド状態を維持するために必要な第１基準電圧、および前記第１基準電圧より低い第２基準電圧を時分割多重したデータ信号を前記複数のデータ線に供給するデータ線駆動手段と、
１フレームの期間を第１期間、第２期間および第３期間に分割し、前記第１期間の各水平走査期間では、前記階調電圧が前記複数のデータ線に供給される期間において前記複数の走査線を順次選択し、前記第２期間の各水平走査期間では、前記第１基準電圧が前記複数のデータ線に供給される期間において前記複数の走査線を順次選択し、前記第３期間の各水平走査期間では、前記第２基準電圧が前記複数のデータ線に供給される期間において前記複数の走査線を順次選択する走査線駆動手段とを備え、
前記複数の画素回路の各々は、
画素電極と、対向電極と、前記画素電極と前記対向電極との間に挟持され配向状態としてベンド状態およびスプレイ状態を有する液晶とを具備する液晶素子と、
前記走査線が選択される期間において前記データ線と前記画素電極とを電気的に接続することにより、前記第１期間では前記階調電圧を前記画素電極に印加し、前記第２期間では前記第１基準電圧を前記画素電極に印加し、前記第３期間では前記第２基準電圧を前記画素電極に印加するスイッチング素子とを有する、
液晶装置。
【請求項４】
前記液晶パネルの一方の面に向けて光を射出する光源と、
前記第２期間および前記第３期間において、前記走査線駆動手段の走査線の選択と同期して、前記光源を消灯させる制御手段とを備え、
請求項３に記載の液晶装置。
【請求項５】
前記光源は、所定数の行ごとに分割した複数の個別領域の各々について点灯・消灯を制御することが可能であり、
前記制御手段は、前記第２期間および前記第３期間において、前記複数の個別領域を順次消灯するように前記光源を制御する、
請求項４に記載の液晶装置。
【請求項６】
前記第１基準電圧は黒表示に対応する電圧であり、前記第２基準電圧は白表示に対応する電圧であることを特徴とする請求項３乃至５のうちいずれか１項に記載の液晶装置。
【請求項７】
請求項３乃至６のうちいずれか１項に記載の液晶装置を備えた電子機器。
【発明の詳細な説明】
【技術分野】
【０００１】
本発明は、配向状態としてベンド状態およびスプレイ状態を有する液晶を用いた液晶装置、その駆動方法および電子機器に関する。
【背景技術】
【０００２】
液晶の透過率の変化により表示を行う液晶装置は、情報処理機器やテレビジョンなどの表示装置として広く用いられている。この表示装置では、行方向に延在する走査線と、列方向に延在するデータ線との交差に対応して画素電極が形成される。また、当該交差部分にあって画素電極とデータ線との間に、走査線に供給される走査信号にしたがってオンオフする薄膜トランジスタ（以下、ＴＦＴ：Thin Film Transistorと称する。）などの画素スイッチが介挿される。さらに、液晶を介して画素電極と対向するように対向電極が設けられる。画素電極と対向電極との間の印加電圧に応じて液晶の配向状態が変化する。これによって、画素における透過光量が変化し、所定の表示が可能になる。
【０００３】
ＯＣＢ（Optical Compensated Bend）液晶は、スプレイ状態とベンド状態とを有する。ベンド状態ではＴＮ（Twisted Nematic）液晶と比較して高速応答が可能である。初期状態、すなわち、印加電圧が０Ｖである状態が長時間継続した状態では、ＯＣＢ液晶はスプレイ状態となっている。スプレイ状態からベンド状態に移行するためには、一定時間高電圧を印加する必要がある。ベンド状態では高速応答が可能であるが、所定レベル以上の電圧が一定時間以上印加されないと、配向状態がスプレイ状態に戻ってしまう。そこで、ノーマリホワイトのＯＣＢ液晶に所定周期で所定レベル以上の電圧を印加し、このときバックライトを消灯する技術が知られている（例えば、特許文献１）。
【特許文献１】特開２００２−３１７９０号公報
【発明の開示】
【発明が解決しようとする課題】
【０００４】
ところで、ノーマリホワイトのＯＣＢ液晶では、黒表示（所定電圧印加）から白表示（印加電圧０Ｖ）へ変化させる場合の応答時間は、白表示から黒表示へ変化させる場合の応答時間と比較して長い。
このため、所定周期でＯＣＢ液晶に黒を書き込むと、その後に、表示すべき階調に応じた電圧をＯＣＢ液晶に印加しても直ちに配向状態が変化しない。すなわち、応答に時間がかかり、高速応答の利点を十分引き出させないといった問題があった。
本発明は、このような事情に鑑みてなされたものであり、ＯＣＢ液晶において、高速応答が可能な液晶装置、その駆動方法および電子機器を提供することを解決課題とする。
【課題を解決するための手段】
【０００５】
上述した課題を解決するため、本発明に係る液晶装置の駆動方法は、画素電極と、対向電極と、前記画素電極と前記対向電極との間に挟持され配向状態としてベンド状態およびスプレイ状態を有する液晶とを備えた液晶素子が形成された液晶パネルを備えた液晶装置に対して第１期間、第２期間および第３期間を繰り返して駆動するものであって、前記第１期間において、表示すべき階調に応じた階調電圧を前記液晶素子に印加し、前記第２期間において、ベンド状態を維持するために必要な第１基準電圧を前記液晶素子に印加し、前記第３期間において、前記第１基準電圧より低い第２基準電圧を前記液晶素子に印加することを特徴とする。
【０００６】
ベンド状態とスプレイ状態とを有する液晶では、高電圧の透過率から低電圧の透過率に遷移する時間が、低電圧の透過率から高電圧の透過率に変化する時間と比較して長い。この発明によれば、第３期間において前記第１基準電圧より低い第２基準電圧を液晶素子に印加するので、第１期間が開始される前に液晶の透過率を変化させておくことができる。この結果、透過率の応答特性を改善することができ、動きの速い画像であっても、ボケを低減して高品質の画像を表示することが可能となる。
【０００７】
ここで、前記液晶装置は前記液晶パネルの一方の面に向けて光を射出する光源を備える場合には、前記第１期間の全部において、前記光源を点灯させ、前記第３期間の一部または全部において、前記光源を消灯させることが好ましい。第３期間おいては、低電圧が液晶に印加されるので透過率が大きくなるが、この際、光源が消灯するので、階調表示に与える影響を低減することができる。
【０００８】
次に、本発明に係る液晶装置は、複数の走査線と、複数のデータ線と、前記走査線と前記データ線との交差に対応して設けられた複数の画素回路とを有する液晶パネルと、
１水平走査期間において、表示すべき階調に応じた階調電圧、ベンド状態を維持するために必要な第１基準電圧、および前記第１基準電圧より低い第２基準電圧を時分割多重したデータ信号を前記複数のデータ線に供給するデータ線駆動手段と、１フレームの期間を第１期間、第２期間および第３期間に分割し、前記第１期間の各水平走査期間では、前記階調電圧が前記複数のデータ線に供給される期間において前記複数の走査線を順次選択し、前記第２期間の各水平走査期間では、前記第１基準電圧が前記複数のデータ線に供給される期間において前記複数の走査線を順次選択し、前記第３期間の各水平走査期間では、前記第２基準電圧が前記複数のデータ線に供給される期間において前記複数の走査線を順次選択する走査線駆動手段とを備え、前記複数の画素回路の各々は、画素電極と、対向電極と、前記画素電極と前記対向電極との間に挟持され配向状態としてベンド状態およびスプレイ状態を有する液晶とを具備する液晶素子と、前記走査線が選択される期間において前記データ線と前記画素電極とを電気的に接続することにより、前記第１期間では前記階調電圧を前記画素電極に印加し、前記第２期間では前記第１基準電圧を前記画素電極に印加し、前記第３期間では前記第２基準電圧を前記画素電極に印加するスイッチング素子とを有する。この発明によれば、第３期間において前記第１基準電圧より低い第２基準電圧を液晶素子に印加するので、第１期間が開始される前に液晶の透過率を変化させておくことができる。この結果、透過率の応答特性を改善することができ、動きの速い画像であっても、ボケを低減して高品質の画像を表示することが可能となる。
【０００９】
液晶装置のより具体的な態様としては、前記液晶パネルの一方の面に向けて光を射出する光源と、前記第２期間および前記第３期間において、前記走査線駆動手段の走査線の選択と同期して、前記光源を消灯させる制御手段とを備えることが好ましい。第３期間おいては、低電圧が液晶に印加されるので透過率が大きくなるが、この際、光源が消灯するので、階調表示に与える影響を低減することができる。
【００１０】
さらに、前記光源は、所定数の行ごとに分割した複数の個別領域の各々について点灯・消灯を制御することが可能であり、前記制御手段は、前記第２期間および前記第３期間において、前記複数の個別領域を順次消灯するように前記光源を制御することが好ましい。この場合には、光源の構成を簡素化することができる。
【００１１】
くわえて、前記第１基準電圧は黒表示に対応する電圧であり、前記第２基準電圧は白表示に対応する電圧であることが好ましい。これにより、第２期間は黒表示となるので、いわゆるインパルス駆動に近づけることができ、人間の網膜における残像の影響を低減して動画ボケを改善することが可能となる。
【００１２】
次に、本発明に係る電子機器は、上述した液晶装置を備えるものであって、いわゆる液晶ディスプレイや、携帯電話機、パーソナルコンピュータなどが該当する。
【発明を実施するための最良の形態】
【００１３】
＜１．実施形態＞
図１に実施形態に係る液晶装置のブロック図を示す。この液晶装置７００は電気光学材料として液晶を用いる。液晶装置７００は、主要部として液晶パネルＡＡを備える。液晶パネルＡＡは、スイッチング素子としてＴＦＴを形成した素子基板と対向基板とを互いに電極形成面を対向させて、かつ、一定の間隙を保って貼付し、この間隙に液晶が挟持されている。この例の液晶はＯＣＢ液晶である。
【００１４】
また、液晶装置７００は、タイミング発生回路３００、画像処理回路４００、メイン制御回路５００およびバックライト６００を備える。液晶パネルＡＡの素子基板上には、画像表示領域Ａ、走査線駆動回路１００およびデータ線駆動回路２００が形成されている。メイン制御回路５００は、アナログ形式で外部装置から供給される入力画像信号Ｖｉｎをデジタル信号に変換し、入力画像データＤｉｎとして画像処理回路４００に供給する。また、メイン制御回路５００はバックライト６００の点灯制御を行う。本実施形態において、バックライト６００は、液晶パネルＡＡの画像を表示する面の反対側に設けられており、液晶パネルＡＡを走査線の方向に分割した複数の領域において、点灯・消灯を制御できるように構成されている。バックライト６００の点灯制御については後述する。
【００１５】
次に、入力画像データＤｉｎは、例えば、２４ビットパラレルの形式である。タイミング発生回路３００は、画像処理回路４００から供給される水平走査信号や垂直走査信号などの制御信号に同期して、Ｙクロック信号ＹＣＫ、Ｘクロック信号ＸＣＫ、Ｙ転送開始パルスＤＹ、およびＸ転送開始パルスＤＸを生成して、走査線駆動回路１００およびデータ線駆動回路２００に供給する。また、タイミング発生回路３００は、画像処理回路４００を制御する各種のタイミング信号を生成し、これを出力する。
【００１６】
ここで、Ｙクロック信号ＹＣＫは、走査線２０を選択する期間を特定し、Ｘクロック信号ＸＣＫは、データ線１０を選択する期間を特定する。また、Ｙ転送開始パルスＤＹは走査線２０の選択開始を指示するパルスであり、一方、Ｘ転送開始パルスＤＸはデータ線１０の選択開始を指示するパルスである。
次に、画像処理回路４００は、入力画像データＤｉｎに、液晶パネルＡＡの光透過特性を考慮したガンマ補正等を施した後、ＲＧＢ各色の画像データをＤ／Ａ変換して、画像信号ＶＩＤを生成して液晶パネルＡＡに供給する。
【００１７】
図２に画像表示領域Ａの詳細な構成を示す。画像表示領域Ａには、ｍ（ｍは２以上の自然数）本の走査線２０が、Ｘ方向に沿って平行に配列して形成される一方、ｎ（ｎは２以上の自然数）本のデータ線１０が、Ｙ方向に沿って平行に配列して形成されている。そして、データ線１０と走査線２０との交差に対応してｍ×ｎ個の画素回路Ｐが配列される。
同図に示すように画素回路Ｐは、液晶素子６０およびＴＦＴ５０を備える。液晶素子６０は画素電極６１と対向電極６２との間にＯＣＢ液晶を挟持して構成される。対向電極６２には共通電位Ｖcomが供給される。ＴＦＴ５０のゲート電極は走査線２０に電気的に接続され、そのドレイン電極またはソース電極の一方がデータ線１０に電気的に接続され、他方が画素電極６１に電気的に接続される。
【００１８】
図１に示すデータ線駆動回路２００は、データ信号Ｘ１〜Ｘｎをｎ本のデータ線１０に出力する。信号の極性を対向電極６２の共通電位Ｖcomを基準として高電位を正極性、低電位を負極性と定めると、奇数番目のフレームではデータ信号の極性を正極性とし、偶数番目のフレームではデータ信号の極性を負極性とする。これにより、フレーム単位で液晶に印加される電圧が反転する。なお、ライン単位で液晶に印加する電圧を反転してもよいし、ドット単位で液晶に印加する電圧を反転してもよい。
【００１９】
また、各走査線２０には、走査線駆動回路１００から、走査信号Ｙ１、Ｙ２、…、Ｙｍが、パルス的に線順次で印加されるようになっている。このため、ある走査線２０に走査信号が供給されると、当該行の画素回路ＰにおいてＴＦＴ５０がオン状態となり、データ線２０を介して供給されるデータ信号が液晶素子６０に書き込まれる。各画素に印加される電圧レベルに応じて液晶分子の配向や秩序が変化するので、光変調による階調表示が可能となる。例えば、液晶を通過する光量は、ノーマリーホワイトモードであれば、印加電圧が高くなるにつれて制限される一方、ノーマリーブラックモードであれば、印加電圧が高くなるにつれて緩和されるので、液晶装置７００全体では、画像信号に応じたコントラストを持つ光が各画素毎に出射される。この例の液晶装置７００はノーマリホワイトである。なお、保持された画像信号がリークするのを防ぐために、保持容量を画素電極６１と対向電極６２との間に形成される液晶容量と並列に付加してもよい。
【００２０】
次に、図３にバックライト６００の領域分割の説明図を示す。この図に示すようにバックライト６００はｆ（ｆは２以上の自然数）個のブロックＢ[1]〜Ｂ[f]に分割されており、一つのブロックＢにはｋ（ｋは自然数）行の画素回路Ｐが含まれている。例えば、ブロックＢ２にはｋ＋１行から２ｋ行までの画素回路Ｐが含まれる。そして、メイン制御回路５００は走査線駆動回路１００の走査線２０の選択と同期して、ブロックＢ[1]〜Ｂ[f]を順次消灯するように制御する。
【００２１】
次に、図４を参照して、液晶装置７００の動作を説明する。この例では、１フレーム期間１Ｆを、第１期間Ｔ１、第２期間Ｔ２、および第３期間Ｔ３に分割して液晶装置７００を駆動する。ここで、ｊ（ｊは１≦ｊ≦ｎを満たす整数）番目のデータ線１０に供給されるデータ信号をデータ信号Ｘｊとすれば、データ信号Ｘｊは、１水平走査期間１Ｈにおいて、表示すべき階調に応じた階調電圧Ｖｄ、黒表示に対応する第１基準電圧Ｖｂ、および白表示に対応する第２基準電圧Ｖｗが時分割多重されている。上述したようにＯＣＢ液晶は、ベンド状態を維持するためには、液晶に所定周期で所定電圧以上の電圧を印加する必要がある。第１基準電圧Ｖｂは、ベンド状態を維持するのに十分な電圧である。一方、第２基準電圧Ｖｗは、第１基準電圧Ｖｂよりも低い電圧であり、この例では、白表示に対応する電圧（０Ｖ）である。なお、本実施形態において電圧は液晶素子６０に印加される電圧、すなわち、画素電極６１と対向電極６２との間の電位差を意味する。
【００２２】
次に、走査信号Ｙ１、Ｙ２、…Ｙｍは、第１期間Ｔ１では階調電圧Ｖｄが供給される期間Ｔｄにおいて順次アクティブになり、第２期間Ｔ２では第１基準電圧Ｖｂが供給される期間Ｔｂにおいて順次アクティブになり、第３期間Ｔ３では第２基準電圧Ｖｗが供給される期間Ｔｗにおいて順次アクティブになる。この結果、第１期間Ｔ１では階調電圧Ｖｄが画素回路Ｐに書き込まれ、第２期間Ｔ２では第１基準電圧Ｖｂが画素回路Ｐに書き込まれ、第３期間Ｔ３では第２基準電圧Ｖｗが画素回路Ｐに書き込まれる。
【００２３】
例えば、１行ｊ列目の画素回路Ｐに着目すると、第１期間Ｔ１では階調電圧ＶｄがＯＣＢ液晶に印加され、第２期間Ｔ２においては第１基準電圧ＶｂがＯＣＢ液晶に印加され、さらに第３期間Ｔ３においては第２基準電圧ＶｗがＯＣＢ液晶に印加される。
このとき、１行ｊ列目の画素回路Ｐの透過率は、図に示すように変化する。すなわち、第１期間Ｔ１では階調電圧Ｖｄが印加されると、透過率が直ちに階調電圧Ｖｄに応じた透過率Ｑｄに変化するのではなく、透過率の初期値Ｑｉから次第に透過率Ｑｄに変化する。一方、第２期間Ｔ２においては短時間で透過率Ｑｄが第１基準電圧Ｖｂに対応する透過率Ｑｂに変化する。ＯＣＢ液晶は、透過率の立ち上がり時間と立ち下がり時間が異なるといった性質を有する。
【００２４】
さらに、第３期間Ｔ３では、白表示に対応する第２基準電圧ＶｗがＯＣＢ液晶に印加されるので、透過率が透過率Ｑｂから透過率Ｑｗへと変化する。このように、第３期間Ｔ３を設けることにより、第１期間Ｔ１の開始において透過率をある程度高くすることできる。このため、第３期間Ｔ３を設けない場合と比較して、ＯＣＢ液晶の透過率をより短時間で階調電圧Ｖｄに応じた透過率にすることができる。
ここで、第３期間Ｔ３は透過率がＱｂからＱｗに向けて変化するので、バックライト６００が点灯していると、表示輝度から白方向へずれることになる。そこで、メイン制御回路５００は、バックライト６００を第２期間Ｔ２および第３期間Ｔ３において消灯させるように制御する。これにより、図に示すように第２期間Ｔ２および第３期間においては、輝度が黒となり、第３期間Ｔ３における透過率の変化を受けないようになる。この例では第２期間Ｔ２および第３期間Ｔ３において、バックライト６００を消灯したが、第２期間Ｔ２においては、透過率が低下して黒表示となるので、メイン制御回路５００は、当該期間において必ずしもバックライト６００を消灯するように制御する必要はない。
【００２５】
１フレーム期間１Ｆを１６．７ｍｓとすれば、例えば、第１期間Ｔ１にその６０％を割り当てて１０．１ｍｓとし、第２期間Ｔ２に２０％を割り当てて３．３ｍｓとし、第３期間Ｔ３に２０％を割り当てて３．３ｍｓとしてもよい。実験によれば、ＯＣＢ液晶が黒表示から白表示に遷移する時間は５．３ｍｓであり、白表示から黒表示に遷移する時間は０．８ｍｓである。したがって、仮に、次のフレームで表示すべき階調が白表示であるとすれば、第１期間Ｔ１の開始から２ｍｓで目標の階調を表示することが可能となる。一方、次のフレームで表示すべき階調が黒表示であるとすれば、第１期間Ｔ１の開始から０．８ｍｓ以下で目標の階調を表示することが可能となる。
【００２６】
図５に示すように、バックライト５００をＯＣＢ液晶の駆動と同期して第２期間Ｔ２および第３期間Ｔ３でブロックＢごとに消灯する。この場合、バックライト５００の点灯と消灯とは、ブロック単位で制御されるので、ブロックＢ[2]において最初に選択される走査線２０に接続される画素回路Ｐでは、第２期間Ｔ２および第３期間Ｔ３でバックライト５００が消灯するが、ブロックＢ[2]において最後に選択される走査線２０に接続される画素回路Ｐでは、１ブロックの走査線２０を走査する期間だけずれることになる。例えば、走査線２０が７６８本あり、１ブロックＢ当たりの走査線２０の本数を５０本とすれば、１行の走査期間は２０μｓであり、１ブロックＢの走査期間は１ｍｓとなる。この場合、１ｍｓの期間、本来、表示されない輝度が表示されることになる。しかしながら、ブロックＢに含まれる走査線２０の本数を減らせば、当該期間は短くなり、画質に大きな影響を与えることはない。また、当該期間における輝度はＯＣＢ液晶の応答特性によって定まるので、これを予測して、メイン制御回路５００で補正した入力画像データＤｉｎを生成するようにしてもよい。
【００２７】
以上、説明したように、本実施形態によれば、１フレーム期間１Ｆに白表示の第３期間Ｔ３を設けたので、透過率の応答性を向上させることができる。この結果、スポーツなどの動きの早い画像を表示する場合に、動画ボケを大幅に改善することができる。また、第２期間Ｔ２において黒表示を行うので、いわゆるインパルス駆動に近づけることができ、人間の網膜の残像を低減して動画ボケをより一層改善することができる。さらに、白表示の第３期間Ｔ３の一部または全部で、バックライト６００を消灯するように制御したので、画像の品質劣化を低減することができる。
【００２８】
なお、上述した実施形態においては、第２基準電圧Ｖｗとして白表示の電圧を採用したが、第２基準電圧Ｖｗは、応答時間を改善するために印加するものであるから、第１基準電圧Ｖｂよりも低電圧であれば、どのような電圧であってもよい。
また、ブロックＢに含まれる走査線２０の本数は任意であり、例えば、１本であってもよい。この場合には、バックライト６００の消灯と印加電圧の関係が完全に同期するので、高品質の画像を表示することができる。
さらに、バックライト６００は、液晶パネルＡＡの一方の面に光を射出できるのであれば、どのような光源であってもよい。例えば、蛍光管で構成してもよいし、あるいは、有機発光ダイオードで構成してもよい。この場合、有機発光ダイオードを短冊状に配置し行ごとに点灯・消灯を制御してもよい。
【００２９】
＜２．電子機器＞
次に、本発明に係る液晶装置７００を利用した電子機器について説明する。図６は、以上に説明した何れかの形態に係る液晶装置７００を表示装置として採用したモバイル型のパーソナルコンピュータの構成を示す斜視図である。パーソナルコンピュータ２０００は、表示装置としての液晶装置７００と本体部２０１０とを備える。本体部２０１０には、電源スイッチ２００１およびキーボード２００２が設けられている。この液晶装置７００は動画ボケを低減することができるので、画像の表示品質を向上させることができる。
【００３０】
図７に、実施形態に係る液晶装置７００を適用した携帯電話機の構成を示す。携帯電話機３０００は、複数の操作ボタン３００１およびスクロールボタン３００２、ならびに表示装置としての液晶装置７００を備える。スクロールボタン３００２を操作することによって、液晶装置７００に表示される画面がスクロールされる。この液晶装置７００によれば、動画の応答時間が短いので、スクロール中にも文字を読み取ることが可能となる。
【００３１】
図８に、実施形態に係る液晶装置７００を適用した携帯情報端末（ＰＤＡ：Personal Digital Assistants）の構成を示す。情報携帯端末４０００は、複数の操作ボタン４００１および電源スイッチ４００２、ならびに表示装置としての液晶装置７００を備える。電源スイッチ４００２を操作すると、住所録やスケジュール帳といった各種の情報が液晶装置７００に表示される。
【００３２】
なお、本発明に係る液晶装置が適用される電子機器としては、図６から図８に示したもののほか、プロジェクタ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００３３】
【図１】本発明の実施形態に係る液晶装置のブロック図である。
【図２】同装置の画像表示領域の詳細な構成を示すブロック図である。
【図３】同装置に用いるバックライトの説明図である。
【図４】同装置の動作を示すタイミングチャートである。
【図５】同装置に用いるバックライトの動作を示す説明図である。
【図６】電子機器の一例たるパーソナルコンピュータの斜視図である。
【図７】電子機器の一例たる携帯電話機の斜視図である。
【図８】電子機器の一例たる携帯情報端末の斜視図である。
【符号の説明】
【００３４】
１０……データ線、２０……走査線、５０……ＴＦＴ（スイッチング素子）、６０……液晶素子、６１……画素電極、６２……対向電極、Ｖcom……共通電位、１００……走査線駆動回路、２００……データ線駆動回路、５００……メイン制御回路、６００……バックライト、Ｘ１〜Ｘｎ……データ信号、Ｙ１〜Ｙｍ……走査信号、Ｐ……画素回路。
【図１】
2008185758.tif 000003
【図２】
2008185758.tif 000004
【図３】
2008185758.tif 000005
【図４】
2008185758.tif 000006
【図５】
2008185758.tif 000007
【図６】
2008185758.tif 000008
【図７】
2008185758.tif 000009
【図８】
2008185758.tif 000010